(57)【要約】【課題】排水装置の部品点数を少なくすることができるとともに、施工作業を容易に行い、施工コストを低減することができる地下タンクの侵入地下水の排出装置を提供する。【解決手段】底壁１２ａと側壁１２ｂよりなるタンク本体１２の上端開口部に天井壁１３を設ける。タンク本体１２と天井壁１３の内側面に内張りパネル１４を形成する。前記パネル１４を構成する側壁パネル１６の下端部に予め地下水回収樋１６ａをプレス成形する。この地下水回収樋１６ａと側壁１２ｂの内側壁面１２ｃとによって地下水回収通路２１を形成する。この地下水回収通路２１によって回収された地下水を地下水貯留桝２２に貯留し水中ポンプ２５及び揚水管２６によって外部に排出する。【選択図】      図１
2005022724.tif 000002
【特許請求の範囲】
【請求項１】
地下に埋設されたコンクリート製のタンク本体の内側壁面に対し耐腐食性を有する金属製の内張りパネルを接触し、前記タンク本体の上端開口部を天井壁により遮蔽するようにした地下タンクにおいて、
前記内張りパネルの下端部に対しタンク本体の内側壁面から離隔する方向にプレスにより成形された地下水回収樋と、前記内側壁面との間に、タンク本体を透過した地下水を回収するための地下水回収通路を設け、前記タンク本体の内側壁面と内張りパネルとの間に前記地下水回収通路内の地下水を外部へ排出するための地下水排出手段を設けたことを特徴とする地下タンクにおける侵入地下水の排出装置。
【請求項２】
請求項１において、前記タンク本体の内側壁面と内張りパネルとの間には前記地下水回収通路内の地下水を合流するための地下水貯留桝が設けられ、この地下水貯留桝の底部には地下水排出手段を構成する水中ポンプが配設され、該ポンプから揚水管を通して地下水が前記地下水貯留桝から外部へ排出されるようになっている地下タンクにおける侵入地下水の排出装置。
【請求項３】
請求項１又は２において、前記内張りパネルには前記地下水回収通路と連通するように地下水の揚水通路がプレスにより成形され、この揚水通路に揚水パイプが収容され、地上側に配置したポンプによって地下水回収通路内の地下水が外部に排出されるようになっている地下タンクにおける侵入地下水の排出装置。
【請求項４】
請求項１〜３のいずれか１項において、地下水回収通路の横断面形状は横Ｖ状又は半円筒状になっている地下タンクにおける侵入地下水の排出装置。
【請求項５】
請求項１〜４のいずれか１項において、前記地下水回収通路は、前記内張りパネルの下端部の全周にわたって形成されている地下タンクにおける侵入地下水の排出装置。
【発明の詳細な説明】
【０００１】
【発明の属する技術分野】
本発明は、地下タンクにおける侵入地下水の排出装置に係り、詳しくはコンクリート製のタンク本体に亀裂が生じて地下水が亀裂からタンク本体の内側壁面と、その壁面に接合した耐腐食性を有する内張りパネルの裏面との間に侵入した際にその地下水を外部に排出するための侵入地下水の排出装置に関するものである。
【０００２】
【従来の技術】
地下タンクは地下水による圧力と、土の圧力とに耐えるだけの機械的な強度が要求されるので、所定厚さのコンクリート製の有底四角筒状又は有底円筒状をなすタンク本体を、鉄筋とコンクリートを用いて構築するようになっている。又、タンク本体に亀裂が生じたときに地下水がタンク本体の内部に進入するので、タンク本体の内側壁面には例えば樹脂塗装あるいはステンレススチール等の耐腐食性を有する金属製の内張りパネルが接合されている。
【０００３】
ところが、上記従来の地下タンクは、タンク本体に亀裂が生じたときにその亀裂からタンク本体の内側壁面と内張りパネルとの間の細隙に侵入する地下水の圧力によって前記内張りパネルがタンク本体の内側壁面から離隔し、内張りパネルが変形するという問題があった。
【０００４】
上記問題を解消するため、従来、図８に示すように、底壁１２ａと側壁１２ｂとよりなるタンク本体１２の底壁１２ａの上面に接触された底板１５と側壁１２ｂの内側壁面に接触された側壁パネル１６との接合部を切り欠いてアングル材３２を溶接により固定する。そして、アングル材３２とタンク本体１２の内側壁面との間に地下水回収通路３３を設けている。この地下水回収通路３３により回収された地下水をタンク本体１２の外部に配設されたポンプ３４により汲み上げて揚水管３５から地上に排出するようになっている。
【０００５】
【発明が解決しようとする課題】
ところが、上記従来の侵入地下水の排出装置は、地下水回収通路３３を構成するのにアングル材３２を用いて溶接によりに底板１５及び側壁パネル１６に連結しなければならないので、部品点数が多くなり施工作業が面倒になるという問題があった。
【０００６】
又、ポンプ３４及び揚水管３５がタンク本体１２の外側に配設されているので、既設の地下タンクへの施工作業が非常に面倒であった。
本発明の目的は、上記従来の技術に存する問題点を解消して、部品点数を少なくすることができるとともに、施工作業を容易に行い施工コストを低減することができる地下タンクにおける侵入地下水の排出装置を提供することにある。
【０００７】
【課題を解決するための手段】
上記問題点を解決するために、請求項１に記載の発明は、地下に埋設されたコンクリート製のタンク本体の内側壁面に対し耐腐食性を有する金属製の内張りパネルを接触し、前記タンク本体の上端開口部を天井壁により遮蔽するようにした地下タンクにおいて、前記内張りパネルの下端部に対しタンク本体の内側壁面から離隔する方向にプレスにより成形された地下水回収樋と、前記内側壁面との間に、タンク本体を透過した地下水を回収するための地下水回収通路を設け、前記タンク本体の内側壁面と内張りパネルとの間に前記地下水回収通路内の地下水を外部へ排出するための地下水排出手段を設けたことを要旨とする。
【０００８】
請求項２に記載の発明は、請求項１において、前記タンク本体の内側壁面と内張りパネルとの間には前記地下水回収通路内の地下水を合流するための地下水貯留桝が設けられ、この地下水貯留桝の底部には地下水排出手段を構成する水中ポンプが配設され、該ポンプから揚水管を通して地下水が前記地下水貯留桝から外部へ排出されるようになっていることを要旨とする。
【０００９】
請求項３に記載の発明は、請求項１又は２において、前記内張りパネルには前記地下水回収通路と連通するように地下水の揚水通路がプレスにより成形され、この揚水通路に揚水パイプが収容され、地上側に配置したポンプによって地下水回収通路内の地下水が外部に排出されるようになっていることを要旨とする。
【００１０】
請求項４に記載の発明は、請求項１〜３のいずれか１項において、地下水回収通路の横断面形状は横Ｖ状又は半円筒状になっていることを要旨とする。
請求項５に記載の発明は、請求項１〜４のいずれか１項において、前記地下水回収通路は、前記内張りパネルの下端部の全周にわたって形成されていることを要旨とする。
【００１１】
【発明の実施の形態】
以下、本発明を具体化した地下タンクにおける侵入地下水の排出装置の一実施形態を図１〜図４に従って説明する。
【００１２】
地下タンク１１は図１に示すように鉄筋コンクリート製の有底四角筒状をなすタンク本体１２と、このタンク本体１２の上端開口部に構築された同じく鉄筋コンクリート製の天井壁１３と、前記タンク本体１２の内壁面及び天井壁１３の下面に接触されたステンレススチール製の内張りパネル１４とによって構成されている。
【００１３】
前記パネル１４はタンク本体１２の底壁１２ａの上面に支持された底板１５と、前記タンク本体１２の四角筒状をなす側壁１２ｂの内側壁面１２ｃに接合された側壁パネル１６と、前記天井壁１３の下面に接合された天井壁用パネル１７とによって構成されている。
【００１４】
前記底板１５の外周縁と側壁パネル１６の下端縁との接触部には横断面がアングル状をなす帯状の接合用パネル１８が接触され、この接合用パネル１８の両端縁が溶接部１９によって底板１５の上面、側壁パネル１６の側面に連結されている。
【００１５】
前記側壁パネル１６の下端部にはプレスにより地下水回収樋１６ａが一体に、かつ水平方向に成形されている。この地下水回収樋１６ａと、前記側壁１２ｂの内側壁面１２ｃとによって形成される横Ｖ字状の通路を、側壁１２ｂに生じた亀裂を透過した地下水の地下水回収通路２１としている。前記地下水回収樋１６ａは、図２に示すように側壁パネル１６の全周にわたって互いに連通するように四角環状に形成されている。
【００１６】
図２に示すように前記タンク本体１２のコーナー部には前記地下水回収通路２１によって回収された地下水を合流して一時的に貯留するための地下水貯留桝２２が設けられている。この地下水貯留桝２２は前記タンク本体１２のコーナー部の内側壁面１２ｃとの間でほぼ四角筒状の地下水貯留室２３を形成するアングル状の型材２４を所定位置に配置することにより構成されている。前記型材２４の下端部の二カ所には、前記地下水回収通路２１と地下水貯留室２３を連通するための通路２４ａが切り欠き形成されている。
【００１７】
前記地下水貯留室２３の下部には水中ポンプ２５が収容され、この水中ポンプ２５の出口部には地下水を外部に排出するための揚水管２６が接続され、この揚水管２６の上端部は前記天井壁１３を貫通して外部に導出されている。この実施形態では、前記地下水貯留桝２２、地下水貯留室２３、型材２４、水中ポンプ２５及び揚水管２６等によって地下水回収通路２１内の地下水を外部に排出するための地下水排出手段が構成されている。
【００１８】
前記側壁パネル１６は図３に示すように所定の形状に形成された地下水回収樋１６ａを有する単体パネル１６１と、地下水回収樋１６ａを形成しない単体パネル１６２を縦横に接合して構成される。又、前記底板１５及び天井壁用パネル１７は前記単体パネル１６２を縦横に接合することによって構成されているが、図１，２では底板１５、側壁パネル１６及び天井壁用パネル１７が一体的に図示されている。
【００１９】
次に、前記のように構成した地下タンク１１について、その動作を説明する。
地下タンク１１のタンク本体１２の側壁１２ｂ対しに何らかの原因によって亀裂が生じると、地下水がこの亀裂から側壁１２ｂの内側壁面１２ｃと側壁パネル１６の裏面との間の細隙に流入する。この地下水は細隙を下方に移動して前記地下水回収通路２１に回収される。この地下水回収通路２１によって回収された地下水は前記地下水貯留桝２２内に流入し、水中ポンプ２５によって組み上げられて揚水管２６から外部に排出される。従って、前記側壁１２ｂと側壁パネル１６との間の細隙に地下水がとどまることがないので、側壁パネル１６に作用する地下水の圧力が過剰に大きくなることはなく、側壁パネル１６が変形して内側壁面１２ｃから離隔することはない。
【００２０】
上記実施形態の地下タンク１１によれば、以下のような特徴を得ることができる。
（１）上記実施形態では、側壁パネル１６に対してプレスにより地下水回収樋１６ａを形成し、地下水回収樋１６ａと側壁１２ｂの内側壁面１２ｃとの間に地下水回収通路２１を形成した。このため、地下水回収通路２１の形成を容易に行うことができ、部品点数を低減して、製造及び施工作業を容易に行いコストの低減を図ることができる。
【００２１】
（２）上記実施形態では、タンク本体１２のコーナー部に地下水貯留桝２２、地下水貯留室２３を形成し、地下水貯留室２３に水中ポンプ２５を収容したので、タンク本体１２の側壁１２ｂの外側に地下水貯留桝２２、水中ポンプ２５及び揚水管２６を配設する構成と比較して、施工作業を容易に行うことができる。
【００２２】
なお、本実施形態は以下のように変更してもよい。
○  図５に示すように、前記側壁パネル１６の地下水回収樋１６ａを半円筒状に形成したり、横Ｕ字状に形成したり、三角筒状に形成したり、その他任意の形状に形成したりしてもよい。
【００２３】
○  図６に示すように、側壁パネル１６の地下水回収樋１６ａの下側に地下水貯留桝２２を設け、この地下水貯留桝２２の内部に水中ポンプを収容したり、揚水管を進入したりするようにしてもよい。
【００２４】
○  図７に示すように、側壁パネル１６に対し前記地下水回収樋１６ａと連通する揚水用樋１６ｂを設け、この揚水用樋１６ｂの内部に揚水管３１を挿入して地下タンク１１の外部に配設したポンプ（図示略）により地下水回収通路２１内の地下水を汲み上げるようにしてもよい。この別例においては、前述した地下水貯留室２３、型材２４が不要となるので、部品点数を低減し、製造及び施工作業をさらに容易に行いコストの低減を図ることができる。
【００２５】
【発明の効果】
以上詳述したように、この発明は排水装置の部品点数を少なくすることができるとともに、施工作業を容易に行い施工コストを低減することができる。
【図面の簡単な説明】
【図１】この発明を具体化した地下タンクの一実施形態を示す縦断面図。
【図２】図１のＡ−Ａ線断面図。
【図３】要部の拡大断面図。
【図４】側壁パネルを構成する単体パネルの斜視図。
【図５】この発明の別例を示す部分断面図。
【図６】この発明の別例を示す部分断面図。
【図７】この発明の別例を示す部分斜視図。
【図８】従来の地下水回収通路の構造を示す部分断面図。
【符号の説明】１１…地下タンク、１２…タンク本体、１２ｃ…内側壁面、１３…天井壁、１４…パネル、１６ａ…地下水回収樋、２１…地下水回収通路、２２…地下水貯留桝、２５…水中ポンプ、２６，３１…揚水管。
【図１】
2005022724.tif 000003
【図２】
2005022724.tif 000004
【図３】
2005022724.tif 000005
【図４】
2005022724.tif 000006
【図５】
2005022724.tif 000007
【図６】
2005022724.tif 000008
【図７】
2005022724.tif 000009
【図８】
2005022724.tif 000010